(57)【要約】【課題】  電子投票に用いられる記録媒体の投票所名を開票時に修正できるようにすることである。【解決手段】  開票投票所確認画面において、投票所変更ボタンが押されたなら（図３，Ｓ２２，ＹＥＳ）、操作者名とパスワードを確認する（Ｓ２３）。操作者名とパスワードが一致したなら、選択可能な複数の投票所名を表示し、特定の投票所名の選択を受け付ける（Ｓ２４）。投票所名が選択され、確定ボタンと開票ボタンが押されたなら、選択された投票所名に対応する投票コードを記録媒体に追記する（Ｓ１８）。さらに記録媒体の投票データの開票を行う（Ｓ１９）。【選択図】      図３
2005050223.tif 000002
【特許請求の範囲】
【請求項１】
コンピュータを、
申告された投票所名と記録媒体に記録されている投票所コードにより指定される投票所名が一致しない場合に、操作者の操作に基づいて前記記録媒体に新たな投票所コードを追記する投票所コード追記手段と、
追記された投票コードが存在する場合に、該追記された投票所コードに対応する投票所名を表示させる表示制御手段と、
前記表示制御手段により投票所名が表示された状態で、開票操作が行われたとき、前記記録媒体に記録されている投票データを開票して集計する集計手段として機能させる電子投票の開票プログラム。
【請求項２】
前記表示制御手段を、記録媒体に記録されている投票所コードに対応する投票所名と、投票所名を変更するための投票所変更ボタンと、開票ボタンとからなる投票所確認画面を表示させ、前記投票所変更ボタンが操作されたとき、選択可能な複数の投票所名を表示させる手段として機能させ、
前記投票所コード追記手段を、前記投票所変更ボタンの操作と、特定の投票所名の選択操作が検出されたとき、選択された投票所名に対応する投票所コードを前記記録媒体の所定の領域に追記する手段として機能させる請求項１記載の電子投票の開票プログラム。
【請求項３】
前記表示制御手段を、記録媒体に記録されている投票所コードに対応する投票所名と、投票所名を変更するための投票所変更ボタンと、開票ボタンとからなる投票所確認画面を表示させ、前記投票所変更ボタンが操作されたとき、選択可能な複数の投票所名を表示させる投票所変更画面を表示させ、前記投票所変更画面において、特定の投票所名が選択されたとき、選択された投票所名を前記投票所確認画面に表示させる手段として機能させ、
前記集計手段を、前記投票所確認画面において、開票ボタンが操作されたとき、前記記録媒体に記録されている投票データを開票して集計する手段として機能させる請求項１または２記載の電子投票の開票プログラム。
【請求項４】
前記投票所コード追記手段を、投票所名を変更した操作者に関する情報を前記記録媒体に追記する手段として機能させる請求項１，２または３記載の電子投票の開票プログラム。
【請求項５】
申告された投票所名と記録媒体に記録されている投票所コードにより指定される投票所名が一致しない場合に、操作者の操作に基づいて前記記録媒体に新たな投票所コードを追記する投票所コード追記手段と、
追記された投票コードが存在する場合に、該追記された投票所コードに対応する投票所名を表示させる表示制御手段と、
前記表示制御手段により投票所名が表示された状態で開票操作が行われたとき、前記記録媒体に記録されている投票データを開票して集計する集計手段とを備える電子投票の開票装置。
【請求項６】
前記表示制御手段は、前記記録媒体に記録されている投票所コードに対応する投票所名と、投票所名を変更するための投票所変更ボタンと、開票ボタンを投票所確認画面に表示させ、
前記投票所コード追記手段は、前記投票所変更ボタンの操作と、特定の投票所名の選択操作を検出したとき、選択された投票所名に対応する投票所コードを前記記録媒体の所定の領域に追記する請求項５記載の電子投票の開票装置。
【請求項７】
前記表示制御手段は、前記記録媒体に記録されている投票所コードに対応する投票所名と、投票所名を変更するための投票所変更ボタンと、開票ボタンとからなる投票所確認画面を表示させ、前記投票所変更ボタンが操作されたとき、選択可能な複数の投票所名を表示させる投票所変更画面を表示させ、前記投票所変更画面において、特定の投票所名が選択されたとき、選択された投票所名を前記投票所確認画面に表示させる請求項６記載の電子投票の開票装置。
【発明の詳細な説明】
【技術分野】
【０００１】
本発明は、電子投票の開票プログラム及び開票装置に関する。
【背景技術】
【０００２】
電子投票が地方選挙の段階で次第に導入されつつあり、将来的には国政選挙にも導入されることが予想される。
電子投票システムでは、電子投票装置が投票データの記録媒体への書き込み機能を有している場合には、それぞれの投票装置が、記録媒体に投票データを書き込むようになっている。また、投票サーバが複数台の投票装置から投票データを受信して投票データを記録媒体に書き込む場合には、投票サーバが、記録媒体に投票データを書き込むようになっている。
【０００３】
そして、開票時には、各投票所の記録媒体が開票所に運ばれ、開票所の開票装置が投票所毎に記録媒体の投票データを集計して開票を行うようになっている。
電子投票における投票データの改ざんを防止する方法として、例えば、特許文献１には、投票カードにメモリエリアを設け、被選挙人、投票日時等の情報を記録することで投票データの改ざんを防止することが記載されている。
【０００４】
また、特許文献２には、投票情報を不可逆的な記録方法で光記録媒体に記憶することが記載されている。
また、特許文献３には、選挙人に配布されるトークン（記録媒体）に識別子を記録しておき、投票データを書き込む際に識別子も併せて書き込むことにより、同一選挙人による重複投票を防止することが記載されている。
【特許文献１】特開平１１−１９１１３１号公報（図４）
【特許文献２】特開２００２−２６００４２号公報（図１３）
【特許文献３】特開平７−５７０１４号公報（図６，図１０）
【発明の開示】
【発明が解決しようとする課題】
【０００５】
電子投票を行う場合、投票所毎に投票データが管理されるが、投票データそのものには無記名性を確保するためにどの投票所で投票されたかを示す情報を記録することができない。そのため、投票データが記録される記録媒体に、その記録媒体が使用された投票所を示す投票所コードが記録される。
【０００６】
通常は、選挙管理委員会において予め投票所コードが書き込まれた記録媒体が投票所に配布され、あるいは投票所において、記録媒体を電子投票装置にセットするときに投票所コードを入力するようになっているが、選挙管理委員会が記録媒体の配布先を間違えたり、投票所で誤って違う投票所の投票所コードを入力してしまう可能性がある。
【０００７】
開票所においては、記録媒体のラベルに記入されている投票所名と、記録媒体に記録されている投票所名が一致するか否かを確認しているが、従来は、投票所以外では、投票所名を入力できないので、開票作業が遅れる原因となっていた。
【０００８】
本発明の課題は、電子投票に用いられる記録媒体の投票所名を開票時に修正できるようにすることである。
【課題を解決するための手段】
【０００９】
本発明の電子投票の開票プログラムは、コンピュータを、申告された投票所名と記録媒体に記録されている投票所コードに対応する投票所名が一致しない場合に、操作者の操作に基づいて前記記録媒体に新たな投票所コードを追記する投票所コード追記手段と、追記された投票コードが存在する場合に、該追記された投票所コードに対応する投票所名を表示させる表示制御手段と、前記表示制御手段により投票所名が表示された状態で開票操作が行われたとき、前記記録媒体に記録されている投票データを開票して集計する集計手段として機能させる。
【００１０】
この発明によれば、開票の段階で記録媒体に記録されている投票所名が誤っていることが分かった場合でも、操作者が投票所名を変更することができるので開票作業を迅速に進めることができる。また、変更した投票所コードは記録媒体に追記されるので、投票所コードの改ざんの有無を確認できる。
【００１１】
上記の発明において、前記表示制御手段を、記録媒体に記録されている投票所コードに対応する投票所名と、投票所名を変更するための投票所変更ボタンと、開票ボタンとからなる投票所確認画面を表示させ、前記投票所変更ボタンが操作されたとき、選択可能な複数の投票所名を表示させる手段として機能させ、前記投票所コード追記手段を、前記複数の投票所名の中から特定の投票所名が選択されたとき、選択された投票所名に対応する投票所コードを前記記録媒体に追記する手段として機能させても良い。
【００１２】
また、前記表示制御手段を、記録媒体に記録されている投票所コードに対応する投票所名と、投票所名を変更するための投票所変更ボタンと、開票ボタンとからなる投票所確認画面を表示させ、前記投票所変更ボタンが操作されたとき、選択可能な複数の投票所名を表示させる投票所変更画面を表示させ、前記投票所変更画面において、特定の投票所名が選択されたとき、選択された投票所名を前記投票所確認画面に表示させる手段として機能させ、前記集計手段を、前記投票所確認画面において、開票ボタンが操作されたとき、前記記録媒体に記録されている投票データを開票して集計する手段として機能させてもよい。
【００１３】
このように構成することにより、投票所確認画面において、操作者が投票所変更ボタンを操作して投票所変更画面を表示させ特定の投票所名を選択することで、記録媒体の投票所名を簡単に訂正することができる。
【００１４】
また、投票所コード追記手段が、変更した投票所名と共に変更した操作者名を記録媒体に記録するようにしても良い。
このように構成することで投票所名を変更した人を確認できる。
【発明の効果】
【００１５】
本発明によれば、電子投票に用いられる記録媒体の投票所名が誤っている場合でも、開票作業の担当者がその場で投票所名を修正することができるので、開票作業を迅速に進めることができる。
【発明を実施するための最良の形態】
【００１６】
以下、本発明の実施の形態を図面を参照して説明する。図２は、実施の形態の電子投票システムのシステム構成を示す図である。
選挙管理委員会システムは、選挙情報入力端末１１から、選挙の種類と候補者名等を入力し、投票所で使用する選挙情報インストールディスク１２を作成する機能を有する。
【００１７】
投票所システムは、投票カードの発行端末２１、投票所サーバ２２及び電子投票機２３とからなる。
開票所システムは、開票サーバ３１と複数台の開票装置３２とからなる。
【００１８】
選挙管理委員会システムを利用して作成された選挙情報インストールディスク１２と投票データを記録するための投票データ記録媒体１３が各投票所に配布される。選挙情報インストールディスク１２は、各投票所において、投票カード発行端末２１及び投票サーバ２２を起動するとき起動ディスクとして使用される。投票データ記録媒体（以下、記録媒体という）１３は、光磁気ディスク、ＩＣカード等からなる。
【００１９】
また、選挙情報インストールディスク１２は、開票所の開票サーバ３１を起動するためのインストールディスクとして使用される。
投票所の電子投票機２３を利用して投票が行われ、投票データが投票所サーバ２２に送信されると、投票所サーバ２２によりその投票データが記録媒体１３に書き込まれる。投票が終了した段階で記録媒体１３が開票所に搬送される。そして、開票所の開票装置３２により記録媒体１３に記録された投票データの集計が行われる。各開票装置３１の集計結果が開票サーバ３１でさらに集計される。
【００２０】
開票装置３２のハードウェア構成は図示していないが、処理を実行するＣＰＵ、処理結果を一時記憶するメモリ、プログラムを記憶するハードディスク、記録媒体の読み取り及び書き込みを行う媒体読み取り・書き込み装置等からなる。
【実施例１】
【００２１】
図３は、発明の第１の実施の形態の電子投票の開票プログラムのフローチャートである。図３の処理は主として開票装置３２のＣＰＵにより実行されるが、操作者が行う判断のステップも含めて記述してある。
【００２２】
先ず、スタンドアロンで使用することが選択されているか否かを判別する（図３，Ｓ１１）。スタンドアロンが選択されている場合には（Ｓ１１，ＹＥＳ）、ステップＳ１２に進み、入力された操作者名とパスワードが、予め登録されている操作者名とパスワードと一致するか否かを判別する。
【００２３】
さらに、入力された確認暗証番号が登録されている確認暗証番号と一致するか否かを判別する（図３，Ｓ１３）。
操作者名、パスワード及び確認暗証番号が一致した場合には、「投票所開票状況一覧・媒体挿入待ち画面」を表示する（図３，Ｓ１４）。
【００２４】
「投票所開票状況一覧・媒体挿入待ち画面」において、記録媒体が開票装置３２に挿入されると、記録媒体に記録されている投票所コードを読み出し、開票投票所確認画面を表示する（図３，Ｓ１５）。
【００２５】
上記のステップＳ１５の処理では、記録媒体に記録されている投票コードに対応する投票所の投票データが開票済みか否かを調べ、該当する投票所が未開票の場合には、その投票所が未開票であることを通知する開票投票所確認画面を表示する。また、開票済みの場合には、その投票所が開票済みであることを通知する開票投票所確認画面を表示する。
【００２６】
投票所が未開票の場合の開票投票所確認画面には、投票所名と開票ボタンと投票所変更ボタンと、「正しければ開票ボタンを押してください、投票所を変更する場合には投票所変更ボタンを押してください」というメッセージが表示される。
【００２７】
投票所が開票済みの場合の開票投票所確認画面には、投票所名と開票ボタンと投票所変更ボタンと、「開票済みデータを破棄し、このまま開票する場合には、開票ボタンを押してください。投票所を変更する場合には、投票所変更ボタンを押してください」というメッセージが表示される。
【００２８】
開票作業の担当者（開票装置３２の操作者）は、記録媒体のラベルに記入されている投票所名と、開票投票所確認画面に表示される投票所名が一致するか否かを確認し、開票所名が一致する場合には、開票ボタンを押し、投票所名が不一致の場合には、投票所変更ボタンを押す。
【００２９】
ＣＰＵは、ボタンが操作された場合には、未開票の投票所の記録媒体に対する操作か、それとも開票済みの投票所の記録媒体に対する操作の何れであるかを判別する（図３，Ｓ１６）。
【００３０】
未開票の投票所の記録媒体に対する操作の場合には（Ｓ１６，ＹＥＳ）、ステップＳ１７に進み、先ず、開票ボタンが押されたか否かを判別する。
開票ボタンが押された場合には（Ｓ１７，ＹＥＳ）、ステップＳ１８に進み、確定した投票所コード、操作者名、確定時刻を記録媒体に記録する。そして、次のステップＳ１９で、記録媒体から投票データを読み込み、候補者毎に投票データを集計する。各投票所毎の集計結果はメモリに保存される。
【００３１】
ＣＰＵは、記録媒体が抜き取られたのを検出したなら（図３，Ｓ２０）、次のステップＳ２１において、全投票所の記録媒体の登録が完了したか否かを判別する。
全投票所の登録が完了していないとき、すなわち未開票の投票所がある場合には（Ｓ２１，ＮＯ）、ステップＳ１４に戻り、上述した処理を繰り返す。
【００３２】
ステップＳ１７において、操作されたのが開票ボタンでないと判別されたときには（Ｓ１７，ＮＯ）、ステップＳ２２に進み、投票所変更ボタンが操作されたか否かを判別する。
【００３３】
投票所変更ボタンが操作された場合には（Ｓ２２，ＹＥＳ）、ステップＳ２３に進み、操作者名とパスワードが予め登録されている操作者名とパスワードと一致するか否かを確認する。入力された操作者名とパスワードが、予め登録されているデータと一致したときには、次のステップＳ２４において、開票投票所変更画面を表示し、選択可能な複数の投票所名を表示し、特定の投票所名が選択されて変更確定ボタンが押されたなら、選択された投票所名をメモリに記憶し、その投票所名で開票投票所確認画面を表示する。
【００３４】
開票装置３２の操作者は、開票投票所確認画面において表示される投票所名と、記録媒体のラベルに書かれている投票所名が一致するか否かを確認し、一致しないときには、投票所変更ボタンを操作する。投票所変更ボタンが操作されると、上述した図３のステップＳ１７〜Ｓ２３の処理を経てステップＳ２４の処理が実行され、開票投票所変更画面が表示される。この開票投票所変更画面では、選択可能な複数の投票所名が表示されるので、その中からラベルに記載されている投票所名（申告された投票所名）を選択することで、記録媒体のラベルに記入されていた投票所と一致するように記録媒体の投票所名（投票所コード）を修正することができる。
【００３５】
投票所コードが修正された後、変更確定ボタンが操作され変更内容が確定すると、変更された投票所名で開票投票所確認画面が表示される。その状態で開票ボタンが押されると、上記のステップＳ１７の判別がＹＥＳとなり、ステップＳ１８において、確定した投票所コード、操作者名、確定時刻が記録媒体の所定の領域に書き込まれる。そして、次のステップＳ１９において、記録媒体に記録されている投票データの開票・集計が行われる。
【００３６】
上述した処理により、記録媒体に記録されている投票所コードにより指定される投票所名と、記録媒体のラベルに記入されている投票所名が一致しない場合には、開票装置３２の操作者が投票所名を修正し、修正した投票所コードを記録媒体に追記することにより、正しい投票所名に基づいて開票・集計作業を進めることができる。これにより、記録媒体に記録されている投票所名（投票所コード）に誤りがあった場合でも、開票担当者がその場で投票所名を修正して開票作業を迅速に進めることができる。
【００３７】
ステップＳ１６において、挿入された媒体の投票所名が開票済みの投票所であると判別された場合には（Ｓ１６，ＮＯ）、ステップＳ２５に進み、開票ボタンが押されたか否かを判別する。
【００３８】
開票ボタンが押された場合には（Ｓ２５，ＹＥＳ）、ステップＳ２６に進み、操作者名とパスワードを確認する。入力された操作者名とパスワードが登録されているデータと一致した場合には、次のステップＳ２７において、メモリに記憶されているその投票所の開票済みの投票データを破棄し、その投票所の開票状況を未開票に変更する。
【００３９】
ステップＳ２５において、開票ボタンの操作ではないと判別された場合には（Ｓ２５，ＮＯ）、上述したステップＳ２２に進み、投票所変更ボタンが操作されたか否かを判別する。投票所変更ボタンが操作された場合には、上述したステップＳ２３及び２４の処理を実行する。
【００４０】
開票ボタンが操作され、投票データの開票・集計処理が終了し、ステップＳ２１において、全ての投票所の記録媒体の読み取りが完了したと判別されたなら（Ｓ２１，ＹＥＳ）、ステップＳ２８に進み、メモリに記憶されている各投票所の開票・集計結果を集計して、全体の集計結果をプリンタ、表示装置等に出力する。
【００４１】
ここで、記録媒体のデータ構成を、図４（Ａ）、（Ｂ）を参照して説明する。
図４（Ａ）は、投票所名が正しかった場合のデータ構成を示し、図４（Ｂ）は、投票所名を修正した場合のデータ構成を示している。
【００４２】
図４（Ａ）に示すように、記録媒体には、投票開始時に設定される投票所コードと、記録媒体の使用開始時刻と、投票データと、各選挙の有権者情報と、締め切り時刻と、アクセスログと、開票時に追記される投票所コードと、開票時に投票所コードを設定した操作者名と、開票時に投票所を確定した確定時刻等のデータが記録されている。
【００４３】
投票所名が正しかった場合（図４（Ａ））と、投票所名が誤っていた場合（図４（Ｂ））とのデータ構成上の違いは、後者は、開票時に記録される投票所コードが、最初に記録媒体に記録された投票所コードと異なっている点である。
【００４４】
すなわち、図４（Ｂ）の例では、記録媒体には最初に投票所コードとして「００１」が記録されていたが、開票所において投票所コードが変更され、開票時に選択された投票所コードとして「００２」が追記されている。この追記された投票所コードに対応する投票所名が、この記録媒体の投票所名として投票所確認画面に表示される。
【００４５】
次に、開票作業と投票所名の訂正方法を、図５〜図８を参照して説明する。
図５は、各投票所の開票状況一覧・媒体挿入待ち画面を示す図である。図５の開票状況一覧画面が表示された状態で、記録媒体を媒体読み取り・書き込み装置に挿入すると、図６（Ａ）または（Ｂ）に示す開票投票所確認画面に切り替わる。
【００４６】
図６（Ａ）は、記録媒体から読み取った投票所コードで指定される投票所が未開票の場合の開票投票所確認画面であり、図６（Ｂ）は、投票所が開票済みの場合の確認画面である。
【００４７】
記録媒体のラベルに記入されている投票所名と、開票投票所確認画面（図６（Ａ）または（Ｂ））に表示された投票所が一致するか否かを判断する。一致しない場合には、投票所変更ボタン４１を操作して投票所名の変更を行う。また、未開票または開票済みの投票所の投票データを開票する場合には、開票ボタン４２を操作する。
【００４８】
図６の開票投票所確認画面において投票所変更ボタン４１を操作すると、図７（Ａ）に示す開票投票所変更画面に切り替わる。この変更画面には、選択可能な複数の投票所名が表示されるので、それらの中からラベルに記入された投票所名と一致するものを選択する。
【００４９】
次に、変更確定ボタン４３を操作すると、図７（Ｂ）に示す開票投票所確認画面が再度表示される。この場合、投票所名が、第１投票所から第２投票所に変更されたので、図７（Ｂ）の確認画面には、挿入された記録媒体に追記された新たな投票所コードに対応する第２投票所の名前が表示される。
【００５０】
図７（Ｂ）の開票投票所確認画面において、開票ボタン４２を操作すると、挿入されている記録媒体の投票データの開票が行われる。
開票が終了し記録媒体が抜き取られると、図８に示すような開票状況一覧・媒体挿入待ち画面が再度表示される。この場合、第２投票所の開票が終了したので、第２投票所の開票状況が、未開票から開票済みに変更されている。
【実施例２】
【００５１】
次に、本発明の第２の実施の形態について説明する。この第２の実施の形態は、開票サーバ３１と複数の開票装置３２を利用して開票が行われる場合である。
図９は、第２の実施形態の開票サーバ３１の処理を示すフローチャートであり、図１０は、開票装置３２の処理を示すフローチャートである。なお、図９及び図１０には、操作者が行う操作も含めて示してある。
【００５２】
スタンドアロンのシステムではないときには、開票サーバ３１を起動し（図９，Ｓ３１）、記録媒体に記録されている選挙情報をインストールする。そして、入力された操作者名とパスワードが予め登録されている操作者名とパスワードと一致するか否かを確認する（図９，Ｓ３２）。操作者名及びパスワードが一致したなら、投票所開票状況一覧画面を表示する（図９，Ｓ３３）。
【００５３】
開票装置３２のＣＰＵは、開票サーバ３１から選挙情報を取得し（図１０，Ｓ４１）、操作者が入力する確認暗証番号が、登録してある確認暗証番号と一致するか否かを判別する（図１０，Ｓ４２）。
【００５４】
確認暗証番号が一致した場合には、投票所開票状況一覧・媒体挿入待ち画面を表示する（図１０，Ｓ４３）。ステップＳ４４〜Ｓ５６の処理は、図３のステップＳ１５〜Ｓ２７の処理と同じであるのでそれらの説明は省略する。
【００５５】
開票装置３２は、全ての投票所の媒体の登録が完了したなら（図１０，Ｓ５０）、ステップＳ５７に進み、実行中の開票プログラムを終了する。
開票サーバ３１は、各開票装置３２から集計データを受信し、全投票所の開票が完了したか否かを判別する（図９，Ｓ３４）。全投票所の開票が終了した場合には（Ｓ３４，ＹＥＳ）、全投票所の開票・集計結果を集計し、その結果をプリンタ、表示装置等に出力する（図９，Ｓ３５）。
【００５６】
この第２の実施の形態によれば、上述した第１の実施の形態と同様に、記録媒体に記録されている投票所名（投票所コード）と、記録媒体のラベルに記入されている投票所名が一致しない場合に、記録媒体に正しい投票所名（投票所コード）を追記して開票作業を迅速に進めることができる。
【図面の簡単な説明】
【００５７】
【図１】発明の原理説明図である。
【図２】実施の形態の電子投票システムのシステム構成図である。
【図３】第１の実施の形態の開票装置の処理を示すフローチャートである。
【図４】記録媒体のデータ構成を示す図である。
【図５】開票状況一覧・媒体挿入待ち画面を示す図である。
【図６】図６（Ａ）、（Ｂ）は、開票投票所確認画面を示す図である。
【図７】図７（Ａ）、（Ｂ）は、開票投票所変更画面と確認画面を示す図である。
【図８】開票状況一覧・媒体挿入待ち画面を示す図である。
【図９】第２の実施の形態の開票サーバの処理を示すフローチャートである。
【図１０】第２の実施の形態の開票装置の処理を示すフローチャートである。
【符号の説明】
【００５８】
１      投票所コード追記手段
２      表示制御手段
３      集計手段
１１    選挙情報入力端末
１２    選挙情報インストールディスク
２１    投票カード発行端末
２２    投票所サーバ
２３    電子投票機
３１    開票サーバ
３２    開票装置
【図１】
2005050223.tif 000003
【図２】
2005050223.tif 000004
【図３】
2005050223.tif 000005
【図４】
2005050223.tif 000006
【図５】
2005050223.tif 000007
【図６】
2005050223.tif 000008
【図７】
2005050223.tif 000009
【図８】
2005050223.tif 000010
【図９】
2005050223.tif 000011
【図１０】
2005050223.tif 000012